(57)【要約】  【課題】  水の汚染の可能性を低下させ、かつ、滞留する水の量を抑え得る。【解決手段】  タンクは、シリンダ１０と、プランジャ１２とを備える。プランジャ１２は、流体収容室６０と水収容室６２とにシリンダ１０内を区切る。プランジャ１２は、空気と水とから力を受けることによってシリンダ１０内でシリンダ１０の内周面に沿って移動する。シリンダ１０が、流体通過部２２と、水進入部２６と、水排出部３０とを有する。流体通過部２２を流体収容室６０に出入りする空気が通過する。水は水進入部２６を通過して水収容室６２内に入る。水排出部３０が水収容室６２内の水を排出する。水排出部３０が、仕切部２４と、連通管部２８とを有している。仕切部２４は、水の進行方向をプランジャ１２の移動方向に沿うよう誘導する。連通管部２８は、プランジャ１２の移動方向に沿って水収容室６２内の水を水排出部３０へ誘導する。【選択図】      図１
2016176207.tif 000002
【特許請求の範囲】
【請求項１】
プランジャ駆動流体と水とを収容するシリンダと、
前記プランジャ駆動流体が出入りする流体収容室と前記水が出入りする水収容室とに前記シリンダ内を区切り、かつ、前記プランジャ駆動流体と前記水とから力を受けることによって前記シリンダ内で前記シリンダの内面に沿って移動するプランジャとを備え、
前記シリンダが、
前記流体収容室に出入りする前記プランジャ駆動流体が通過する流体通過部と、
前記水収容室内に進入する前記水が通過する水進入部と、
前記水収容室内の前記水を排出する水排出部とを有するタンクであって、
前記シリンダが、
前記水進入部を通過して前記水収容室内に入った水の進行方向を前記シリンダ内における前記プランジャの移動方向に沿うよう誘導する進入水誘導部と、
前記シリンダ内における前記プランジャの移動方向に沿って前記水収容室内の水を前記水排出部へ誘導する排出水誘導部とをさらに有していることを特徴とするタンク。
【請求項２】
前記進入水誘導部が、前記シリンダ内における前記プランジャの移動範囲を制限するよう前記水収容室内を連通可能に仕切る仕切部を有しており、
前記排出水誘導部が、前記シリンダ内における前記プランジャの移動方向に沿い、前記仕切部を貫通し、かつ、前記シリンダ外部と前記水収容室内部とを連通させる連通管部を有しており、
前記水進入部が、前記仕切部から見て前記プランジャとは反対側に配置されていることを特徴とする請求項１に記載のタンク。
【請求項３】
前記仕切部が、前記シリンダの内周面との間で隙間を形成する隙間形成部を有していることを特徴とする請求項２に記載のタンク。
【請求項４】
前記プランジャが、前記水収容室に対向する凹面を有しており、
前記仕切部が、前記プランジャの前記凹面が押し付けられると前記凹面に密着する凸面を有していることを特徴とする請求項２に記載のタンク。
【請求項５】
前記進入水誘導部が、前記シリンダ外部と前記水収容室内部とを連通させる進入水誘導路を形成し、前記シリンダの一端のうち中心とは異なる位置に配置され、かつ、前記シリンダ内における前記プランジャの移動方向に沿って延びる進入水誘導路形成面を有しており、
前記排出水誘導部が、前記シリンダ外部と前記水収容室内部とを連通させる排出水誘導路を形成し、前記シリンダの一端のうち前記中心から見て前記水進入路とは反対側に配置され、かつ、前記シリンダ内における前記プランジャの移動方向に沿って延びる排出水誘導路形成面を有していることを特徴とする請求項１に記載のタンク。
【発明の詳細な説明】
【技術分野】
【０００１】
本発明はタンクに関する。
【背景技術】
【０００２】
特許文献１は給水タンクシステムを開示する。特許文献１に開示された給水タンクシステムは、タンクと、水道本管と、タンク入水管と、タンク出水管と、給水管と、複数のエアバッグとを有する。タンク入水管は、水道本管からの水をタンク内に導く。タンク出水管は、タンク内の水を水道本管に送水する。給水管は、タンク出水管とは別系統でタンク内の水をタンク外に供給する。複数のエアバッグはタンク内に設けられている。複数のエアバッグの夫々は、独立した圧力調整器と送気管を介してガスボンベに接続されている。タンク入水管とタンク出水管とには、夫々一定以上の震動を感じると閉鎖される感震遮断弁が設けられている。
【０００３】
特許文献１に開示された給水タンクシステムによると、平時においては、タンクを介さずに水道水を直接送水することも、あるいは、タンクを介して送水することも、可能である。特許文献１に開示された給水タンクシステムによると、複数のエアバッグを、時間差を設けて順次膨張させることができる。したがって、一つのエアバッグが膨張し終えたときに一旦給水を停止させることにより、タンク内の使用水量及び残存水量を簡単に検知することが可能となる。さらに、最後のエアバッグの容量がわかっていれば、最後のエアバッグを膨張させる時点にて残存水量を的確に知ることができるので、給水可能人数の割り出しにも大いに役立つ。さらに、エアバッグを複数に分割することにより、１個のエアバッグの容量を小さくできるので、より円滑な膨張や折畳みが可能となる。
【先行技術文献】
【特許文献】
【０００４】
【特許文献１】特開２００９−２４４３９号公報
【発明の概要】
【発明が解決しようとする課題】
【０００５】
特許文献１に開示された給水タンクシステムには、水の汚染について改善の余地がある。これは、エアバッグの素材が水に溶け得ることが原因の一つである。特許文献１に開示された給水タンクシステムには、水が汚染されるリスクが低い素材の代わりにそのリスクが高い素材を採用しなければならない恐れがある。エアバックの素材に制約があるためである。制約があるのは、エアバックが膨張したり収縮したりするからである。本発明はこのような課題を解決するものである。本発明は、水の汚染の可能性を低下させ、かつ、滞留する水の量を抑え得るタンクを提供することにある。
【課題を解決するための手段】
【０００６】
図面を参照し本発明のタンクを説明する。なおこの欄で図中の符号を使用したのは発明の内容の理解を助けるためである。この欄で図中の符号を使用することには発明の内容を図示した範囲に限定する意図がない。
【０００７】
上述した目的を達成するために、本発明のある局面に従うと、タンクは、シリンダ１０，１１０，２１０，３１０と、プランジャ１２とを備える。シリンダ１０，１１０，２１０，３１０は、プランジャ駆動流体と水とを収容する。プランジャ１２は、プランジャ駆動流体が出入りする流体収容室６０と水が出入りする水収容室６２とにシリンダ１０，１１０，２１０，３１０内を区切る。プランジャ１２は、プランジャ駆動流体と水とから力を受けることによってシリンダ１０，１１０，２１０，３１０内でシリンダ１０，１１０，２１０，３１０の内周面に沿って移動する。シリンダ１０，１１０，２１０，３１０が、流体通過部２２と、水進入部２６，３２６と、水排出部３０，３３０とを有する。流体通過部２２を流体収容室６０に出入りするプランジャ駆動流体が通過する。水進入部２６，３２６を、水収容室６２内に進入する水が通過する。水排出部３０，３３０は、水収容室６２内の水を排出する。シリンダ１０，１１０，２１０，３１０が、進入水誘導部と、排出水誘導部とをさらに有している。進入水誘導部は、水進入部２６，３２６を通過して水収容室６２内に入った水の進行方向をシリンダ１０，１１０，２１０，３１０内におけるプランジャ１２の移動方向に沿うよう誘導する。排出水誘導部は、シリンダ１０，１１０，２１０，３１０内におけるプランジャ１２の移動方向に沿って水収容室６２内の水を水排出部３０，３３０へ誘導する。
【０００８】
流体収容室６０に出入りするプランジャ駆動流体が流体通過部２２を通過する。プランジャ駆動流体は流体通過部２２を経て流体収容室６０内に入る。プランジャ１２は、流体収容室６０内のプランジャ駆動流体から力を受けることによってシリンダ１０，１１０，２１０，３１０内でシリンダ１０，１１０，２１０，３１０の内周面に沿って移動する。プランジャ１２が移動することによって、水収容室６２内の水は水排出部３０，３３０から排出される。プランジャ１２は、流体収容室６０内からプランジャ駆動流体が出なくなるまでシリンダ１０，１１０，２１０，３１０内を移動する。流体収容室６０内からプランジャ駆動流体が出なくなったことによりプランジャ１２が停止し、かつ、水進入部２６と水排出部３０，３３０とが連通した状態で水進入部２６から水収容室６２内に水が入ると、その水は水排出部３０，３３０から排出される。これにより、本発明にかかるタンクは、流体収容室６０内からプランジャ駆動流体が出ない状況下では水の供給路の一部となり、プランジャ駆動流体が流体通過部２２を経て流体収容室６０内に入る状況下では給水用のタンクとなる。一方、進入水誘導部は、進行方向がシリンダ１０，１１０，２１０，３１０内におけるプランジャ１２の移動方向に沿って、水収容室６２内に入った水を誘導する。排出水誘導部は、シリンダ１０，１１０，２１０，３１０内におけるプランジャ１２の移動方向に沿って、水収容室６２内の水を水排出部３０，３３０へ誘導する。これにより、水収容室６２内に入り進入水誘導部に誘導されている水の移動方向と、水収容室６２内にあり排出水誘導部により誘導されている水の移動方向とは互いに沿っていることとなる。これらの水の移動方向は、一方が他方に沿い、他方が一方に沿うという関係である。一方が他方に沿い、他方が一方に沿うので、一方の流れは他方の流れを遮らない。しかも、それらの方向は、シリンダ１０，１１０，２１０，３１０内におけるプランジャ１２の移動方向に沿っている。プランジャ１２の移動方向に沿っているので、水収容室６２内に入った水はプランジャ１２が配置されている方向へ向かい、水排出部３０，３３０へ誘導される水はプランジャ１２が配置されている方向から水排出部３０，３３０方向へ誘導されることとなる。水収容室６２内に入った水がいったんプランジャ１２へ向かいそこか
ら水排出部３０，３３０へ誘導されると、そうでない場合に比べ、シリンダ１０，１１０，２１０，３１０内に滞留したままとなる水の量が減る。その結果、本発明にかかるタンクは、水の汚染の可能性を低下させることができ、かつ、滞留する水の量を抑え得る。
【０００９】
また、上述した進入水誘導部が仕切部２４，１２４，２２４を有していることが望ましい。仕切部２４，１２４，２２４は、シリンダ１０，１１０，２１０内におけるプランジャ１２の移動範囲を制限するよう水収容室６２内を連通可能に仕切る。この場合、排出水誘導部が、連通管部２８を有していることが望ましい。連通管部２８はシリンダ１０，１１０，２１０内におけるプランジャ１２の移動方向に沿う。連通管部２８は仕切部２４，１２４，２２４を貫通する。連通管部２８は、シリンダ１０，１１０，２１０外部と水収容室６２内部とを連通させる。この場合、水進入部２６が、仕切部２４，１２４，２２４から見てプランジャ１２とは反対側に配置されていることが望ましい。
【００１０】
シリンダ１０，１１０，２１０内におけるプランジャ１２の移動範囲は、仕切部２４，１２４，２２４によって制限される。仕切部２４，１２４，２２４は、水進入部２６から見てプランジャ１２側に配置されている。これにより、水進入部２６から水収容室６２内に水が入ると、仕切部２４，１２４，２２４によって移動範囲が制限されていたプランジャ１２は、流体通過部２２が配置されている方向へ移動する。これに伴い、流体収容室６０内のプランジャ駆動流体は流体通過部２２を経て流体収容室６０から出る。これに伴い、水収容室６２内に水が溜まる。本発明にかかるプランジャ１２は、エアバッグに比べ、素材に関する制約が少ない。エアバッグの素材は膨張と収縮との繰り返しに耐える必要があるのに対しプランジャ１２の素材にはそのような制約がないためである。これにより、例えば合成樹脂といった、エラストマーに比べて水に強い素材が水収容室６２に対向するようにプランジャ１２を構成することが可能になる。その結果、水の汚染の可能性を低下させることができる。
【００１１】
もしくは、上述した仕切部２４，２２４が、隙間形成部４２，２４２を有していることが望ましい。隙間形成部４２，２４２は、シリンダ１０，２１０の内周面８０との間で隙間９０，２９０を形成する。
【００１２】
仕切部２４，２２４が、隙間形成部４２，２４２を有していると、水進入部２６から入った水は隙間形成部４２，２４２が形成している隙間９０，２９０を経由して仕切部２４，２２４とプランジャ１２との間に流れる。仕切部２４，２２４とプランジャ１２との間に流れた水は、連通管部２８を経由してシリンダ１０，２１０外部へ流出する。これにより、隙間９０，２９０から連通管部２８へ向かう水の流れが形成される。その水の流れが形成されることにより、その水の流れが形成されない場合に比べ、水収容室６２内に滞留する水が少なくなる。水収容室６２内に滞留する水が少なくなるので、水収容室６２内における水質低下が抑えられる。
【００１３】
もしくは、上述したプランジャ１２が凹面５０を有していることが望ましい。凹面５０は水収容室６２に対向する。この場合、仕切部２４，１２４，２２４が、凸面４０，１４０，２４０を有していることが望ましい。凸面４０，１４０，２４０は、プランジャ１２の凹面５０が押し付けられると凹面５０に密着する。
【００１４】
凸面４０，１４０，２４０が凹面５０に密着することにより、これらの間の水は連通管部２８の端部７０を経由してシリンダ１０，１１０，２１０外部へ押し出される。これにより、凸面４０，１４０，２４０と凹面５０とが密着しない場合に比べ、水収容室６２内に滞留する水が少なくなる。水収容室６２内に滞留する水が少なくなるので、水収容室６２内の水における水質低下が抑えられる。しかも、仕切部２４，１２４，２２４が凸面４０，１４０，２４０を有しておりプランジャ１２が凹面５０を有している。これにより、プランジャ１２が凸面を有し仕切部２４，１２４，２２４が凹面を有する場合に比べ、水の流れの屈曲が緩やかになる。その結果、その水の流れがスムーズになる。
【００１５】
また、上述した進入水誘導部が進入水誘導路形成面３２４を有していることが望ましい。進入水誘導路形成面３２４は、シリンダ３１０の一端のうち中心とは異なる位置に配置される。進入水誘導路形成面３２４は、シリンダ３１０内におけるプランジャ１２の移動方向に沿って延びる。進入水誘導路形成面３２４は進入水誘導路を形成する。進入水誘導路は、シリンダ３１０外部と水収容室６２内部とを連通させる。この場合、排出水誘導部が、排出水誘導路形成面３２８を有していることが望ましい。排出水誘導路形成面３２８は、シリンダ３１０の一端のうち中心から見て進入水誘導路形成面３２４とは反対側に配置される。排出水誘導路形成面３２８は、シリンダ３１０内におけるプランジャ１２の移動方向に沿って延びる。排出水誘導路形成面３２８は排出水誘導路を形成する。排出水誘導路は、シリンダ３１０外部と水収容室６２内部とを連通させる。
【００１６】
進入水誘導路形成面３２４は、シリンダ３１０内におけるプランジャ１２の移動方向に沿って延びる。進入水誘導路形成面３２４は進入水誘導路を形成する。進入水誘導路は、シリンダ３１０外部と水収容室６２内部とを連通させる。水は、進入水誘導路を経由して水収容室６２内部に入る。水収容室６２内部に水が入ると、それまで水収容室６２内部に入っていた水の一部が水収容室６２から排出される。排出される水は、排出水誘導路を経由してシリンダ１０外部へ排出される。排出水誘導路は排出水誘導路形成面３２８によって形成される。排出水誘導路形成面３２８は、シリンダ３１０内におけるプランジャ１２の移動方向に沿って延びる。これにより、水収容室６２内部に入る水の流れと、水収容室６２から排出される水の流れとが形成される。これらの流れは、シリンダ３１０の一端のうち中心から見て互いに反対側に配置される。互いに反対側に配置されるので、例えばこれらの流れがシリンダ３１０内においてごく近くにある場合に比べ、一方の流れが他方の流れを妨げることは少なくなる。その結果、シリンダ３１０内の水がスムーズに置換される。
【発明の効果】
【００１７】
本発明によれば、水の汚染の可能性を低下させ、かつ、滞留する水の量を抑え得る。
【図面の簡単な説明】
【００１８】
【図１】本発明の第１実施形態にかかるタンクの断面図である。
【図２】本発明の第１実施形態にかかるタンクのうち水排出部付近の断面図である。
【図３】本発明の第１実施形態にかかるタンクのうち仕切部付近の斜視図である。
【図４】本発明の第１実施形態にかかるプランジャの斜視図である。
【図５】本発明の第１実施形態にかかるタンクの流路としての使用状況を示す断面図である。
【図６】本発明の第１実施形態にかかるタンクの排水中の状況を示す断面図である。
【図７】本発明の第２実施形態にかかるタンクのうち水排出部付近の断面図である。
【図８】図７のＡ−Ａ断面図である。
【図９】本発明の第３実施形態にかかるタンクのうち水排出部付近の断面図である。
【図１０】図９のＢ−Ｂ断面図である。
【図１１】本発明の第４実施形態にかかるタンクの断面図である。
【発明を実施するための形態】
【００１９】
以下、図面を参照しつつ、本発明の実施形態について説明する。以下の説明では、同一の部品には同一の符号を付してある。それらの名称及び機能も同一である。従って、それらについての詳細な説明は繰返さない。
【００２０】
＜第１実施形態＞
［構造の説明］
図１は、本実施形態にかかるタンクの断面図である。図１に基づいて、本実施形態のタンクの構成を説明する。タンクは、シリンダ１０と、プランジャ１２とを備える。シリンダ１０は、プランジャ駆動流体と水とを収容する。本実施形態の場合、プランジャ駆動流体として空気が用いられている。プランジャ１２は、空気が出入りする流体収容室６０と水が出入りする水収容室６２とにシリンダ１０内を区切る。プランジャ１２は、空気と水とから力を受けることによってシリンダ１０内でシリンダ１０の内周面８０に沿って移動する。
【００２１】
本実施形態の場合、シリンダ１０は、合成樹脂製である。本実施形態の場合、シリンダ１０は、円筒状の部材とその両端を塞ぐ蓋状の部材の対とからなる。本実施形態の場合、円筒状の部材は押出成型により成型される。本実施形態の場合、蓋状の部材は射出成型により成型される。シリンダ１０は、筒部２０と、流体通過部２２と、仕切部２４と、水進入部２６と、連通管部２８と、水排出部３０とを有する。筒部２０はプランジャ１２を収容する。本実施形態の場合、筒部２０は上述した円筒状の部材からなる。筒部２０はプランジャ１２と共に流体収容室６０と水収容室６２とを形成する。本実施形態の場合、流体通過部２２は上述した蓋状の部材の一方に設けられる。流体通過部２２を流体収容室６０に出入りする空気が通過する。仕切部２４は、水収容室６２内部に配置される。仕切部２４は、プランジャ１２の動きを止める。これにより、シリンダ１０内におけるプランジャ１２の移動範囲は制限される。図１から明らかなように、仕切部２４は、水進入部２６から見てプランジャ１２側に配置されている。その結果、シリンダ１０内におけるプランジャ１２の移動範囲は水進入部２６から見て仕切部２４よりも流体通過部２２側となる。本実施形態の場合、水進入部２６と連通管部２８と水排出部３０とは上述した蓋状の部材の他方に設けられる。水進入部２６を通過して水収容室６２内に水が進入する。連通管部２８は本実施形態における排出水誘導部に相当する。本実施形態の場合、連通管部２８は水収容室６２内に配置される。本実施形態の場合、連通管部２８はまっすぐである。連通管部２８は、シリンダ１０内におけるプランジャ１２の移動方向に沿う。連通管部２８は、仕切部２４を貫通する。連通管部２８は、水排出部３０に連なっている。その結果、連通管部２８はシリンダ１０外部と水収容室６２内部とを連通させる。水排出部３０は、上述した蓋状の部材の他方からシリンダ１０の外へ突出している。本実施形態の場合、水排出部３０は管状である。水排出部３０は連通管部２８に連なっている。連通管部２８を通過した水は水排出部３０を通過してシリンダ１０の外へ排出される。その結果、水排出部３０は、水収容室６２内の水を排出することとなる。連通管部２８は、シリンダ１０内におけるプランジャ１２の移動方向に沿って水収容室６２内の水を水排出部３０へ誘導するこ
ととなる。
【００２２】
図２は、本実施形態にかかるタンクのうち水排出部３０付近の断面図である。図３は、本実施形態にかかるタンクのうち仕切部２４付近の斜視図である。図２および図３に基づいて、本実施形態の仕切部２４の構成が説明される。仕切部２４は、凸面４０と、隙間形成部４２とを有している。凸面４０は、水収容室６２に対向する。凸面４０は、連通管部２８の端部７０を取囲む。本実施形態の場合、凸面４０は、孔が設けられておらず、かつ、滑らかな面である。隙間形成部４２は本実施形態における進入水誘導部に相当する。隙間形成部４２は仕切部２４の外縁に配置される。隙間形成部４２は、シリンダ１０の内周面８０に隙間９０をあけて沿う。これにより、隙間形成部４２とシリンダ１０の内周面８０との間に隙間９０が形成されることとなる。この隙間９０は円環状である。仕切部２４はこの隙間９０に取り囲まれる。水進入部２６を通過して水収容室６２内に入った水はこの隙間９０を通過する。すなわち、仕切部２４は、水収容室６２内を連通可能に仕切っている。本実施形態の場合、プランジャ１２の移動方向に直交する断面についての隙間９０の断面積の最小値は、その断面についての連通管部２８の断面積に等しい。
【００２３】
図４は、本実施形態にかかるプランジャ１２の斜視図である。図１および図４に基づいて、本実施形態にかかるプランジャ１２の構成を説明する。プランジャ１２は、凹面５０と、溝付環状部５２と、Ｏリング５４とを有している。凹面５０は水収容室６２に対向する。仕切部２４の凸面４０も水収容室６２に対向する。その結果、凸面４０は凹面５０に対向することとなる。本実施形態の場合、凹面５０は、孔が設けられておらず、かつ、滑らかな面である。溝付環状部５２は、凹面５０の外縁に連なっている。溝付環状部５２の外周には溝が設けられている。本実施形態の場合、溝付環状部５２は、凹面５０と一体となっている。本実施形態の場合、凹面５０と溝付環状部５２とは、合成樹脂製である。本実施形態の場合、シリンダ１０を構成する各部品と同様に、凹面５０と溝付環状部５２とは、射出成型により成型される。Ｏリング５４は溝付環状部５２の外周に設けられている溝へ嵌められている。Ｏリング５４はシリンダ１０の内周面８０と溝付環状部５２との間をシールする。
【００２４】
［使用方法の説明］
図５は、本実施形態にかかるタンクの流路としての使用状況を示す断面図である。図６は、本実施形態にかかるタンクの排水中の状況を示す断面図である。図５および図６に基づいて、本実施形態のタンクの使用方法を説明する。
【００２５】
本実施形態にかかるタンクは、給水配管の一部として使用される。本実施形態にかかるタンクの流体通過部２２に図示されないガス管が接続される。このガス管には図示されない周知の三方弁が接続されている。水進入部２６に図示されない周知の給水管が接続される。この給水管には図示されない周知の開閉弁が接続される。水排出部３０に図示されない周知の排水管が接続される。この排水管にも、給水管に接続されたものとは別の、図示されない周知の開閉弁が接続される。
【００２６】
平時、本実施形態にかかるタンクにおいて、プランジャ１２の溝付環状部５２は、図５に示されるように、シリンダ１０の端部（仕切部２４が配置されている側とは反対側の端部）に接触している。水収容室６２内部は水道水で満たされている。図示されない給水管から水進入部２６に水道水が供給されると、その水道水は水収容室６２に入る。水収容室６２に入った水は、仕切部２４の隙間形成部４２とシリンダ１０の内周面８０との隙間９０を通過する。その隙間９０を通過することで、水収容室６２に入った水の進行方向は、仕切部２４により、プランジャ１２の移動方向に沿うよう誘導されることとなる。その隙間９０を通過した水は、連通管部２８と水排出部３０とを経て、シリンダ１０の外へ排出される。連通管部２８を経ることにより、水排出部３０から排出される水は、プランジャ１２の移動方向に沿って誘導されることとなる。これにより、本実施形態にかかるタンク内の水道水は入れ替わる。その結果、本実施形態にかかるタンクは、水道水の流路の一部となる。
【００２７】
災害その他の理由により給水管からの水道水の給水が途絶えると、本実施形態にかかるタンクを使用しようとする者（以下「使用者」と称される）は、給水管に接続された開閉弁を閉じる。その後、使用者は、空気の供給源と流体通過部２２とが連通するように、ガス管に接続された三方弁を操作する。使用者は、ガス管に空気を供給する。これにより、空気が流体通過部２２を経て流体収容室６０に入る。空気が流体収容室６０に入ると、図６に示されるように、プランジャ１２はシリンダ１０の内周面８０に沿って移動する。これに伴い、水収容室６２内の水道水は、連通管部２８を経て、シリンダ１０の外へ排出される。これにより、本実施形態にかかるタンク内の水道水を取り出すことができる。水道水が取り出されるにつれ、プランジャ１２は仕切部２４に近づく。最終的に、プランジャ１２の凹面５０が押し付けられると、凸面４０は凹面５０に密着する。凸面４０が凹面５０に密着すると、使用者は、ガス管への空気の供給を終了する。これにより、タンク内の水道水の取り出しは終了する。
【００２８】
タンク内の水道水の取り出しが終了した後、給水管による水道水の供給が再開されると、使用者は、排水管に接続された開閉弁を閉じる。使用者は、空気の排出口と流体通過部２２とが連通するように、ガス管に接続された三方弁を操作する。その後、使用者は、給水管に接続された開閉弁を開く。これにより、給水管から水進入部２６に水道水が供給される。その水道水は水収容室６２に入る。水道水が流体収容室６０に入ると、プランジャ１２はシリンダ１０の内周面８０に沿って移動する。これにより、本実施形態にかかるタンク内は水道水で満たされる。タンク内が水道水で満たされると、使用者は、排水管に接続された開閉弁を開く。その結果、本実施形態にかかるタンクを給水配管の一部として使用することが可能になる。
【００２９】
［本実施形態にかかるタンクの効果］
本実施形態にかかるタンクは、溝付環状部５２がシリンダ１０の端部に接触している状況下では水の供給路の一部となり、空気が流体通過部２２を経て流体収容室６０内に入る状況下では給水用のタンクとなる。本実施形態にかかるプランジャ１２は、エアバッグに比べ、素材に関する制約が少ない。エアバッグの素材は膨張と収縮との繰り返しに耐える必要があるのに対しプランジャ１２の素材にはそのような制約がないためである。これにより、合成樹脂という、エラストマーに比べて水に強い素材が水収容室６２に対向するようにプランジャ１２を構成することが可能になる。その結果、水の汚染の可能性を低下させることができる。
【００３０】
また、本実施形態の場合、水収容室６２内に入り隙間９０に誘導されている水の移動方向と、水収容室６２内にあり連通管部２８により誘導されている水の移動方向とは互いに沿っている。これらの水の移動方向は、一方が他方に沿い、他方が一方に沿うという関係である。一方が他方に沿い、他方が一方に沿うので、一方の流れは他方の流れを遮らない。しかも、それらの方向は、シリンダ１０内におけるプランジャ１２の移動方向に沿っている。プランジャ１２の移動方向に沿っているので、水収容室６２内に入った水はプランジャ１２が配置されている方向へ向かい、水排出部３０へ誘導される水はプランジャ１２が配置されている方向から水排出部３０へ誘導されることとなる。水収容室６２内に入った水がいったんプランジャ１２へ向かいそこから水排出部３０へ誘導されると、そうでない場合に比べ、シリンダ１０内に滞留したままとなる水の量が減る。その結果、本実施形態にかかるタンクは、水の汚染の可能性を低下させることができ、かつ、滞留する水の量を抑え得る。
【００３１】
また、本実施形態の場合、水進入部２６から入った水は隙間形成部４２とシリンダ１０の内周面８０との隙間９０を経由して凹面５０と凸面４０との間に流れる。凹面５０と凸面４０との間に流れた水は、連通管部２８の端部７０を経由してシリンダ１０外部へ流出する。これにより、隙間形成部４２とシリンダ１０の内周面８０との隙間９０から連通管部２８の端部７０へ向かう水の流れが形成される。その水の流れが形成されることにより、その水の流れが形成されない場合に比べ、水収容室６２内に滞留する水が少なくなる。水収容室６２内に滞留する水が少なくなるので、水収容室６２内の水における水質低下が抑えられる。
【００３２】
また、本実施形態の場合、凸面４０の凸部が凹面５０の凹部に密着することにより、これらの間の水は連通管部２８の端部７０を経由してシリンダ１０外部へ押し出される。これにより、凸面４０の凸部と凹面５０の凹部とが密着しない場合に比べ、水収容室６２内に滞留する水が少なくなる。水収容室６２内に滞留する水が少なくなるので、水収容室６２内の水における水質低下が抑えられる。
【００３３】
＜第２実施形態＞
［構造の説明］
図７は、本実施形態にかかるタンクのうち水排出部３０付近の断面図である。図８は、図７のＡ−Ａ断面図である。図７および図８に基づいて、本実施形態にかかるタンクの構成を説明する。本実施形態にかかるタンクは、シリンダ１１０と、プランジャ１２とを備える。シリンダ１１０は、プランジャ駆動流体と水とを収容する。本実施形態の場合、第１の実施形態と同様に、プランジャ駆動流体として空気が用いられている。シリンダ１１０は、筒部２０と、流体通過部２２と、仕切部１２４と、水進入部２６と、連通管部２８と、水排出部３０とを有する。
【００３４】
仕切部１２４は、連通管部２８の端部７０に設けられる。仕切部１２４は、プランジャ１２の動きを止める。仕切部１２４は、水進入部２６から見てプランジャ１２側に配置されている。仕切部１２４は、凸面１４０と、３箇所の貫通孔形成面１４２とを有している。凸面１４０は、水収容室６２に対向する。凸面１４０は、連通管部２８の端部７０を取囲む。本実施形態の場合、凸面１４０は滑らかな面である。貫通孔形成面１４２は本実施形態における進入水誘導部に相当する。貫通孔形成面１４２はいずれも凸面１４０に取り囲まれる。貫通孔形成面１４２はそれぞれ貫通孔を形成する。これらの貫通孔は、プランジャ１２の移動方向に沿っている。仕切部１２４の外縁部はシリンダ１１０の内周面８０に沿っている。水進入部２６を通過して水収容室６２内に入った水はこれらの貫通孔を通過する。すなわち、仕切部１２４は、水収容室６２内を連通可能に仕切っている。これらの貫通孔に水が流れることにより、仕切部１２４は、水進入部２６を通過して水収容室６２内に入った水の進行方向をシリンダ１１０内におけるプランジャ１２の移動方向に沿うよう誘導することとなる。本実施形態の場合、プランジャ１２の移動方向に直交する断面についてのこれらの貫通孔の断面積の合計は、その断面についての連通管部２８の断面積に等しい。
【００３５】
その他の点は、上述された第１の実施形態にかかるタンクと同様である。したがって、ここではその詳細な説明は繰返されない。
【００３６】
［使用方法の説明］
本実施形態にかかるタンクの使用方法は、上述された第１の実施形態にかかるタンクと同様である。したがって、ここではその詳細な説明は繰返されない。
【００３７】
［本実施形態にかかるタンクの効果］
本実施形態にかかるタンクは、上述された第１の実施形態にかかるタンクと同様に、水の汚染の可能性を低下させることができる。
【００３８】
＜第３実施形態＞
［構造の説明］
図９は、本実施形態にかかるタンクのうち水排出部３０付近の断面図である。図１０は、図９のＢ−Ｂ断面図である。図９および図１０に基づいて、本実施形態にかかるタンクの構成を説明する。本実施形態にかかるタンクは、シリンダ２１０と、プランジャ１２とを備える。シリンダ２１０は、プランジャ駆動流体と水とを収容する。本実施形態の場合、第１の実施形態と同様に、プランジャ駆動流体として空気が用いられている。シリンダ２１０は、筒部２０と、流体通過部２２と、仕切部２２４と、水進入部２６と、連通管部２８と、水排出部３０とを有する。
【００３９】
仕切部２２４は、連通管部２８の端部７０に設けられる。仕切部２２４は、プランジャ１２の動きを止める。仕切部２２４は、水進入部２６から見てプランジャ１２側に配置されている。仕切部２２４は、凸面２４０と、隙間形成部２４２とを有している。凸面２４０は、連通管部２８の端部７０を取囲む。本実施形態の場合、凸面２４０は滑らかな面である。隙間形成部２４２は本実施形態における進入水誘導部に相当する。隙間形成部２４２は、プランジャ１２の移動方向に沿っている。隙間形成部２４２は、仕切部２２４における切欠きを形成する。仕切部２２４の外縁部はシリンダ２１０の内周面８０に沿っている。隙間形成部２４２が形成した切欠きは、シリンダ２１０の内周面８０との間に隙間２９０を形成する。水進入部２６を通過して水収容室６２内に入った水はこの隙間２９０を通過する。すなわち、仕切部２２４は、水収容室６２内を連通可能に仕切っている。本実施形態の場合、プランジャ１２の移動方向に直交する断面についてのこの隙間２９０の断面積は、その断面についての連通管部２８の断面積に等しい。隙間２９０に水が流れることにより、仕切部２２４は、水進入部２６を通過して水収容室６２内に入った水の進行方向をシリンダ２１０内におけるプランジャ１２の移動方向に沿うよう誘導することとなる。
【００４０】
その他の点は、上述された第１の実施形態にかかるタンクと同様である。したがって、ここではその詳細な説明は繰返されない。
【００４１】
［使用方法の説明］
本実施形態にかかるタンクの使用方法は、上述された第１の実施形態にかかるタンクと同様である。したがって、ここではその詳細な説明は繰返されない。
【００４２】
［本実施形態にかかるタンクの効果］
本実施形態にかかるタンクは、上述された第１の実施形態にかかるタンクと同様に、水の汚染の可能性を低下させることができる。
【００４３】
＜第４実施形態＞
［構造の説明］
図１１は、本実施形態にかかるタンクの断面図である。図１１に基づいて、本実施形態のタンクの構成を説明する。タンクは、シリンダ３１０と、プランジャ１２とを備える。
【００４４】
本実施形態の場合、シリンダ３１０は、円筒状の部材とその両端を塞ぐ蓋状の部材の対とからなる。本実施形態の場合、シリンダ３１０は、筒部２０と、流体通過部２２と、進入水誘導路形成面３２４と、水進入部３２６と、排出水誘導路形成面３２８と、水排出部３３０とを有する。本実施形態の場合、流体通過部２２は上述した蓋状の部材の一方に設けられる。本実施形態の場合、進入水誘導路形成面３２４と、水進入部３２６と、排出水誘導路形成面３２８と、水排出部３３０とは、上述した蓋状の部材の他方に設けられる。進入水誘導路形成面３２４は、シリンダ３１０の一端のうち中心とは異なる位置に配置される。進入水誘導路形成面３２４は、プランジャ１２の移動方向に沿って延びている。進入水誘導路形成面３２４は、進入水誘導路を形成する。水進入部３２６を通過した水は、進入水誘導路を経て水収容室６２内に水が進入する。水が進入水誘導路内を経ることにより、水進入部３２６を通過して水収容室６２内に入った水の進行方向は、シリンダ３１０内におけるプランジャ１２の移動方向に沿うよう誘導されることとなる。排出水誘導路形成面３２８は、シリンダ３１０の一端のうち中心から見て進入水誘導路形成面３２４とは反対側に配置される。排出水誘導路形成面３２８は、プランジャ１２の移動方向に沿って延びている。排出水誘導路形成面３２８は、排出水誘導路を形成する。水収容室６２内の水は、まず排出水誘導路を経てから水排出部３３０に入る。水が排出水誘導路を経ることにより、その水の進行方向は、シリンダ３１０内におけるプランジャ１２の移動方向に沿うよう誘導されることとなる。排出水誘導路は、水排出部３３０と共にシリンダ３１０外部と水収容室６２内部とを連通させる。水排出部３３０は、排出水誘導路を通過した水を排出する。その結果、水排出部３３０は、水収容室６２内の水を排出することとなる。
【００４５】
その他の点は、上述された第１の実施形態にかかるタンクと同様である。したがって、ここではその詳細な説明は繰返されない。
【００４６】
［使用方法の説明］
本実施形態にかかるタンクは、その設置にあたり、進入水誘導路形成面３２４が地面に近い位置に配置され、排出水誘導路形成面３２８が進入水誘導路形成面３２４に比べて地面から遠い位置に配置される。その他の点は、上述された第１の実施形態にかかるタンクと同様である。したがって、ここではその詳細な説明は繰返されない。
【００４７】
［本実施形態にかかるタンクの効果］
本実施形態にかかるタンクは、上述された第１の実施形態にかかるタンクと同様に、水の汚染の可能性を低下させることができる。
【００４８】
また、本実施形態の場合、進入水誘導路を経て水収容室６２内に入る水の移動方向と、排出水誘導路を経て水排出部３３０から排出される水の移動方向とが、互いに沿っている。これらの水の移動方向は、一方が他方に沿い、他方が一方に沿うという関係である。一方が他方に沿い、他方が一方に沿うので、一方の流れは他方の流れを遮らない。しかも、それらの方向は、シリンダ１０内におけるプランジャ１２の移動方向に沿っている。プランジャ１２の移動方向に沿っているので、水収容室６２内に入った水はプランジャ１２が配置されている方向へ向かい、水排出部３０へ誘導される水はプランジャ１２が配置されている方向から水排出部３０へ誘導されることとなる。水収容室６２内に入った水がいったんプランジャ１２へ向かいそこから水排出部３０へ誘導されると、そうでない場合に比べ、シリンダ１０内に滞留したままとなる水の量が減る。その結果、本実施形態にかかるタンクは、水の汚染の可能性を低下させることができ、かつ、滞留する水の量を抑え得る。しかも、本実施形態の場合、進入水誘導路形成面３２４が地面に近い位置に配置され、排出水誘導路形成面３２８が進入水誘導路形成面３２４に比べて地面から遠い位置に配置される。これにより、本実施形態にかかるタンクは、進入水誘導路形成面３２４と排出水誘導路形成面３２８とがその他の位置に配置された場合に比べ、水収容室６２内に進入した気体が排出されやすくなる。
【００４９】
しかも、本実施形態の場合、水収容室６２内部に入る水の流れと、水収容室６２から排出される水の流れとは、シリンダ３１０の一端のうち中心から見て互いに反対側に配置される。互いに反対側に配置されるので、例えばこれらの流れがシリンダ３１０内においてごく近くにある場合に比べ、一方の流れが他方の流れを妨げることは少なくなる。その結果、シリンダ３１０内の水がスムーズに置換される。
【００５０】
<変形例の説明>
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００５１】
例えば、上述した本実施形態のタンクのうち、仕切部２４，１２４，２２４は凸面４０，１４０，２４０を有していなくてもよい。例えば、仕切部２４，１２４，２２４は平坦な平面からなるものでもよい。同様に、プランジャ１２は凹面５０を有していなくてもよい。例えば、プランジャ１２は平坦な平面からなるものでもよい。仕切部２４，１２４，２２４は、シリンダ１０，１１０，２１０内におけるプランジャ１２の移動範囲を制限するよう水収容室６２内を連通可能に仕切るものであればよい。
【００５２】
また、水排出部３０，３３０に配水管を介して接続されるのはしぼり弁であってもよい。流体通過部２２にガス管を介して接続されるのは三方弁に限定されない。例えば、三方弁の代わりに、プランジャ駆動流体の出入りを制御できる周知の弁と周知の管との組み合わせが接続されてもよい。流体通過部２２には、そのような周知の弁と周知の管との組み合わせ又は周知の三方弁が直接接続されてもよい。
【符号の説明】
【００５３】
１０，１１０，２１０，３１０…シリンダ
１２…プランジャ
２０…筒部
２２…流体通過部
２４，１２４，２２４…仕切部
２６，３２６…水進入部
２８…連通管部
３０，３３０…水排出部
４０，１４０，２４０…凸面
４２，２４２…隙間形成面
５０…凹面
５２…溝付環状部
５４…Ｏリング
６０…流体収容室
６２…水収容室
７０…端部
８０…内周面
９０，２９０…隙間
【図１】
2016176207.tif 000003
【図２】
2016176207.tif 000004
【図３】
2016176207.tif 000005
【図４】
2016176207.tif 000006
【図５】
2016176207.tif 000007
【図６】
2016176207.tif 000008
【図７】
2016176207.tif 000009
【図８】
2016176207.tif 000010
【図９】
2016176207.tif 000011
【図１０】
2016176207.tif 000012
【図１１】
2016176207.tif 000013